(57)【特許請求の範囲】
【請求項１】
窓ガラスの周縁と外壁などの建物本体との間に介在して、前記窓ガラスを建物本体に直接支持させる構造ガスケットの構造において、前記構造ガスケットを窓ガラスの上下左右の各辺に対応する上下左右の各部分により構成し、前記上下左右の各部分には窓ガラスの周縁に沿って連続する溝を形成し、前記構造ガスケットの前記上部分及び／又は左右の部分の溝とその部分の室内側の面との間に空気導入用の空隙を形成するとともに、前記構造ガスケットの前記下部分の溝と前記下部分の室内側の面との間に水抜き用の空隙を形成し、さらに前記構造ガスケットの前記水抜き用の空隙から室内に至る部分に、前記水抜き用の空隙から出た水を受け入れる水受け部を設けたことを特徴とする窓ガラス用の構造ガスケットの構造
【請求項２】
前記水抜き用の空隙を、前記構造ガスケットの下部分の左右方向における複数個所に形成し、前記水受け部を、この水受け部において前記水を自然乾燥させるように前記構造ガスケットの下部分に沿って左右方向に連続させ且つ上面を室内に開放させて設けたことを特徴とする請求項１に記載の窓ガラス用の構造ガスケットの構造。
【請求項３】
前記構造ガスケットの前記下部分の溝には、溝底に水切り促進用の突起を、溝の長手方向に連続させて形成したことを特徴とする請求項１に記載の窓ガラス用の構造ガスケットの構造。
【請求項４】
前記構造ガスケットには、窓ガラスより室内側で、窓ガラスに室内側から接するガラス接触部分と建物本体に接する建物接触部分との間に、窓ガラスの周縁に沿って連続させて凹欠部を形成して、前記ガラス接触部分を室内側に弾性変形による可倒構造とし、前記凹欠部には、前記構造ガスケットの一部をなして前記凹欠部を充填補完する嵌合体を嵌合させたことを特徴とする請求項１に記載の窓ガラス用の構造ガスケットの構造。
【発明の詳細な説明】
【０００１】
【産業上の利用分野】
この発明は、窓ガラスの周縁と外壁等の建物本体との間に介在して、前記窓ガラスを建物本体に直接支持させる構造ガスケットの構造に関する。
【０００２】
【従来の技術】
この種の構造ガスケットは、従来から、窓ガラスを建物本体に支持させるとともに風及び水を建物内外間で遮断する機能が求められているため、窓ガラスと構造ガスケットの間及び構造ガスケットと建物本体との間の水密構造及び気密構造などの改良が行われてきた。
【０００３】
【発明が解決しようとする課題】
しかしながら、前記水密構造や気密構造に工夫が施されても、構造ガスケットそれ自体の経時的劣化や、構造ガスケットと窓ガラスとの間のシール材などの経時的劣化により、構造ガスケットと窓ガラスとの間に雨水等が浸入することがある。
【０００４】
このような場合に、水が構造ガスケットと窓ガラスとの間に滞留すると、冬場の凍結などが原因して構造ガスケットの劣化が促進されるという欠点がある。また水の前記浸入量が増大して水が屋内側に流入したことにより水漏れが発見されるが、構造ガスケットと窓ガラスとの間に浸入した水は窓ガラスの周縁に沿って移動した後に室内側に漏れ出すことが多いから、水の浸入位置を判別しにくいという不具合もある。さらに、前記のように室内側に漏れだした水は、放置すると室内を汚染し、場合によっては什器備品を毀損する不具合もある。
【０００５】
この発明の目的は、これらの不具合を解決するためになされたものであって、浸入した水を積極的に室内側に排出することにあり、またこの発明の目的は、水の浸入位置の判別を容易にすることにあり、またこの発明の目的は、浸入した水を早期に自然乾燥させることにあり、さらにこの発明の目的は、窓ガラスの着脱を容易にすることにある。
【０００６】
【課題を解決するための手段】
請求項１の発明は、窓ガラスの周縁と外壁などの建物本体との間に介在して、前記窓ガラスを建物本体に直接支持させる構造ガスケットの構造を前提としている。窓ガラスを建物本体に直接支持させるというのは、サッシなどの枠材を用いることなく窓ガラスを建物本体に支持させることを意味する。そして、前記構造ガスケットを窓ガラスの上下左右の各辺に対応する上下左右の各部分により構成し、前記上下左右の各部分には窓ガラスの周縁に沿って連続する溝を形成し、前記構造ガスケットの前記上部分及び／又は左右の部分の溝とその部分の室内側の面との間に空気導入用の空隙を形成するとともに、前記構造ガスケットの前記下部分の溝と前記下部分の室内側の面との間に水抜き用の空隙を形成し、さらに前記構造ガスケットの前記水抜き用の空隙から室内に至る部分に、前記水抜き用の空隙から出た水を受け入れる水受け部を設けたものである。
【０００７】
請求項２の発明は、請求項１の発明において、前記水抜き用の空隙を、前記構造ガスケットの下部分の左右方向における複数個所に形成し、前記水受け部を、この水受け部において前記水を自然乾燥させるように前記構造ガスケットの下部分に沿って左右方向に連続させ且つ上面を室内に開放させて設けた。
請求項３の発明は、請求項１の発明において、前記構造ガスケットの前記下部分の溝には、溝底に水切り促進用の突起を、溝の長手方向に連続させて形成している。
【０００８】
請求項４の発明は、請求項１の発明において、前記構造ガスケットには、窓ガラスより室内側で、窓ガラスに室内側から接するガラス接触部分と建物本体に接する建物接触部分との間に、窓ガラスの周縁に沿って連続させて凹欠部を形成して、前記ガラス接触部分を室内側に弾性変形による可倒構造とし、前記凹欠部には、前記構造ガスケットの一部をなして前記凹欠部を充填補完する嵌合体を嵌合させている。
【０００９】
【発明の実施の形態】
図１は窓ガラス１とその周縁の構造ガスケット２との概略を示す説明図であり、図１のＡ−Ａ線における断面拡大図が図２であり、図１のＢ−Ｂ線における断面拡大図が図３であり、図１の窓ガラス１の右下部分の拡大図が図４である。
２枚の窓ガラス１がシリコンシール３とその内側のシーリング剤４とを介して積層されて、両窓ガラス１間には空間５が形成されている。前記シール３，４は他の材質のものでもよい。かかる窓ガラス１は、構造ガスケット２により建物本体をなす外壁６に直接支持される。この外壁６はプレキャストコンクリートからなり、窓ガラス１を取り付ける部分は特に図２及び図３に示す断面構造をしているが、外壁６は他の材料からなるものであってもよいし、また窓ガラス１を取り付ける部分の断面構造は別のものでもよい。
【００１０】
構造ガスケット２は、窓ガラス１の周縁と外壁６との間に介在されるが、窓ガラス１の上下左右の各辺に対応して、上部分２１，下部分２２，左部分２３，右部分２４とからなる。かかる上下左右は室内側から見た場合の各方向を意味している。前記上下左右の各部分２１，２２，２３，２４には窓ガラス１の周縁に沿って連続する溝７が形成される。
【００１１】
構造ガスケット２と外壁６との間は、窓ガラス１より室外側において構造ガスケット２のリップ８と充填したコーキング材９とにより水密且つ気密に保持され、また室内外方向において窓ガラス１の位置に凹陥された外壁６の溝６ａに、多数のリップが形成された構造ガスケット２の凸条２ａが嵌入されて、ここでも水密且つ気密に保持されている。前記凸条２ａは、前記各部分２１，２２，２３，２４の全長にわたって形成され、溝６ａもこれに対応して形成されている。
【００１２】
また、前記構造ガスケット２には、窓ガラス１より室内側で、窓ガラス１に室内側から接するガラス接触部分２ｂと、外壁６に接する建物接触部分２ｃとが形成されていて、ガラス接触部分２ｂは建物接触部分２ｃとの連続部分付近の厚みが比較的薄く形成されることにより、ガラス接触部分２ｂが特に厚みが薄い前記部分の弾性変形により窓ガラス１から離れる方向に倒れることができる可倒構造となっている。これにより、ガラス接触部分２ｂを倒した状態で、先行して外壁６に装着されている構造ガスケット２に窓ガラス１を取り付けるようになっている。
【００１３】
前記ガラス接触部分２ｂと建物接触部分２ｃとの間には、ガラス接触部分２ｂを前記の形態にするために凹欠部２ｄが形成されている。この凹欠部２ｄは、窓ガラス１の周縁に沿って連続して形成されており、この凹欠部２ｄには、ここを充填補完するための嵌合体２ｅを嵌合させている。この嵌合体２ｅは、前記凹欠部２ｄに嵌合されることにより構造ガスケット２の一部をなして、ガラス接触部分２ｂの前記倒れを防止することにより、構造ガスケット２により窓ガラス１を十分に支持できるようにしてある。
【００１４】
構造ガスケット２の前記上部分２１の溝７と前記上部分２１の室内側の面との間に、前記上部分２１の左右の端部近くにそれぞれ空気導入用の空隙１１が形成される。この空隙１１は、溝７に近い部分は上部分２１を貫通した穴１１ａにより構成され、また室内側の部分は前記穴１１ａに連続する切り欠き溝１１ｂにより構成される。すなわち、構造ガスケット２には前記凹欠部２ｄが形成されているため、この部位では穴ではなく切り欠き溝１１ｂになっており、この切り欠き溝１１ｂとこれを覆う前記嵌合体２ｅとにより実質的な穴を構成している。
【００１５】
また、前記構造ガスケット２の前記下部分２２の溝７と前記下部分２２の室内側の面との間には、前記下部分２２の左右の端部近くにそれぞれ水抜き用の空隙１２を形成してある。この空隙１２は、前記空隙１１と同様に貫通穴１２ａと切り欠き溝１２ｂによって構成されている。
構造ガスケット２の前記下部分２２の前記溝７には、溝底に水切り促進用の突起７ａを、溝７の長手方向に連続させて形成していて、溝７に沿って積極的に水が流れ、前記空隙１２に流れ込むように構成される。
【００１６】
構造ガスケット２の前記水抜き用の空隙１２から室内に至る部分に、前記水抜き用の空隙１２から出た水を受け入れる水受け部１３を設けている。この水受け部１３は、窓の下側にある室内側の外壁６上面を覆うゴムプレートにより構成され、構造ガスケット２の下部２２の長手方向たる左右にわたって配設され、その室内側が下がる方向に傾斜をしており、さらに室内側の端部には水の流下を防ぐための立ち上がり部１３ａが形成されている。この水受け部１３を構成するゴムプレートは窓ガラス１側の部分が構造ガスケット２の前記建物接触部分２ｃと外壁６との間に挟まれていて、前記空隙１２を形成する切り欠き溝１２ｂの底部を兼ねている。
【００１７】
かくして、水受け部１３は窓ガラス１の幅と同等の左右の幅をもち且つ立ち上がり部１３ａも備えているから、水の溜まり場として十分な平面積と容積をもち、且つ上面が開放されているから、水の自然乾燥に適した構成となっている。
また、窓ガラス１の左右及び上では、室内側の外壁６にゴムプレートからなる膳板１４が取付けられている。これら膳板１４の窓ガラス１側は構造ガスケット２と外壁６との間に挟まれている。なお左右の膳板１４は前記水受け部１３の左右端と連続していて、水受け部１３の水が水受け部１３の左右から流下することはない。
【００１８】
而して、この実施形態においては、窓ガラス１と構造ガスケット２との間に浸入した水は窓ガラス１の上下左右のいずれかの溝７に入り、上又は左右の溝７に浸入した水は左右の溝７から下の溝７に至る。そして、構造ガスケット２の左右いずれかの部分２３，２４の溝７から又は直接に下部分２２の溝７に入った水は、当該溝７を流れて空隙１２に至る。かかる水の流れは、構造ガスケット２の上部分２１の空隙１１が上部分２１の溝７に連通しているため円滑に行われて停滞することがない。また、下部分２２の溝７を左右の空隙１２に向けて下り勾配にしておくのが好ましい。そうすることによって水切り促進用の突起７ａと前記勾配と前記空隙１１からの空気の流入によって空隙１２に向けた水の流れがさらに促進される。
【００１９】
空隙１２に至った水は、空隙１２内を貫通穴１２ａと切り欠き溝１２ｂを通って流下して水受け部１３に至り、水受け部１３の傾斜を流下して水受け部１３の最も低い部分に集まる。この水受け部１３は平面積が大で且つ立ち上がり部１３ａによって他に流出しないから、前記水はここで自然乾燥される。かくして、浸入した水を積極的に室内側に案内して、ここで自然乾燥させて処理するものである。
【００２０】
また、水受け部１３に水が流出したときには、窓ガラス１と構造ガスケット２との間の水密性能が劣化したことが分かるから、その補修に着手することができる。特に、この実施形態では、空隙１２を窓ガラス１の左右に設けているから、要補修個所は窓ガラス１の左右各半分のうち水が流出した空隙１２の側にあることが判明する。このため、要補修個所の特定が容易になる。
【００２１】
なお、補修や点検のためには、構造ガスケット２の一部を構成する嵌合体２ｅを外して、構造ガスケット２のガラス接触部分２ｂを室内側に変形させつつ旋回させれば、窓ガラス１を室内側に取り外すことができる。
なお、この実施形態によれば、空気導入用の空隙１１を構造ガスケット２の上部分２１に設けたが、これに代えて又はこれとともに、構造ガスケット２の左部分２３及び右部分２４に前記空隙１１を設けることもできる。空隙１１を左右の部分２３，２４に設ける場合にも、空隙１１の断面構造は図２に示したものと実質的に同一に表れる。
【００２２】
また、この実施形態によれば、空隙１２は左右に各１個所の合計２個所設けたが、窓ガラス１の左右と中央の合計３個所でもよいし、また窓ガラス１の大きさによっては４個所以上設けてもよい。いずれの場合も構造ガスケット２の下部分２２の溝７は空隙１２に向けて下り勾配にしておくとよい。
また、この実施形態は空間５を挟んで２枚の窓ガラス１を積層した複層ガラス窓について説明したが、窓ガラス１の枚数は１枚であっても、或いは３枚以上であっても本発明を適用することができる。
【００２３】
【発明の効果】
請求項１の発明にあっては、窓ガラスと構造ガスケットとの間から浸入した水を、窓ガラス周囲の溝から、構造ガスケットの下部分の水抜き用の空隙を介して室内側に流下させて室内側で処理することがきる。このため、水が窓ガラスと構造ガスケットとの間に滞留することがないから、水により構造ガスケットの劣化が促進されることがない。
【００２４】
請求項２の発明によれば、請求項１の発明の前記効果に加えて、水受け部の平面籍を十分に広くすることができるから自然乾燥が可能であり、水の処理に手間がかからない。また、水が流下した空隙を複数の空隙のうちから特定することによって、水が浸入した位置を判別することができて、要補修個所の特定が容易になる。
【００２５】
請求項３の発明によれば、請求項１の発明の前記効果に加えて、構造ガスケットの下部分の溝内で水の移動が促進されるから、前記溝内での水の滞留を防止することができる。
請求項４の発明によれば、請求項１の発明の前記効果に加えて、構造ガスケットの嵌合部を離脱させると、構造ガスケットのガラス接触部分を室内側に倒すことができるから窓ガラスの着脱が容易であり、前記嵌合部を構造ガスケットの凹欠部に嵌合させることにより前記ガラス接触部の倒れがなくなるから、窓ガラスの支持が十分になる。
【図面の簡単な説明】
【図１】窓ガラスと構造ガスケットとの関係を示す正面概略図である。
【図２】図１のＡ−Ａ線断面拡大図である。
【図３】図１のＢ−Ｂ線断面拡大図である。
【図４】図１の右下部分の拡大図である。
【符号の説明】
１        窓ガラス
２        構造ガスケット
２１      上部分
２２      下部分
２３      左部分
２４      右部分
２ａ      凸条
２ｂ      ガラス接触部分
２ｃ      建物接触部分
２ｄ      凹欠部
２ｅ      嵌合体
５        空間
６        外壁
７        溝
１１        空気導入用の空隙
１２        水抜き用の空隙
１３        水受け部
１３ａ      立ち上がり部
【図１】
0004043704.tif 000002
【図２】
0004043704.tif 000003
【図３】
0004043704.tif 000004
【図４】
0004043704.tif 000005